(57)【要約】【課題】  表示部が起立し易く、また、表示部の起立状態を長期間維持できるＰＯＰラベルを提供する。【解決手段】  本発明のＰＯＰラベル１は、一部分を物品から突出させて貼り付けられるラベル基材２を有し、前記ラベル基材２が、縦方向に順に、物品に貼付可能な貼着面３１を有する貼付部３と、前記貼付部３に連設された中間部４と、前記貼付部３を物品に貼り付けた際に物品から離れて起立し且つ前記中間部４に連設された表示部５と、を有し、前記中間部４には、横方向に延びる部分又は横方向に対して傾斜する方向に延びる部分を有する切込み６が形成され、前記切込み６が、前記中間部４を横方向中央点において縦方向に延びる仮想直線Ｘにて二分したとき、前記仮想直線Ｘと中間部４の横方向一方側の縁４ａとの間の領域内に形成されている。【選択図】  図２
2019039953.tif 000002
【特許請求の範囲】
【請求項１】
一部分を物品から突出させて貼り付けられるラベル基材を有し、
前記ラベル基材が、縦方向に順に、物品に貼付可能な貼着面を有する貼付部と、前記貼付部に連設された中間部と、前記貼付部を物品に貼り付けた際に物品から離れて起立し且つ前記中間部に連設された表示部と、を有し、
前記中間部には、横方向に延びる部分又は横方向に対して傾斜する方向に延びる部分を有する切込みが形成され、
前記切込みが、前記中間部を横方向中央点において縦方向に延びる仮想直線にて二分したとき、前記仮想直線と中間部の横方向一方側の縁との間の領域内に形成されている、ＰＯＰラベル。
【請求項２】
前記切込みが、２つ以上形成され、
１つの切込みが、前記仮想直線と中間部の横方向一方側の縁との間の領域内に形成され、且つ、もう１つの切込みが、前記仮想直線と中間部の横方向他方側の縁との間の領域内に形成されている、請求項１に記載のＰＯＰラベル。
【請求項３】
前記中間部の横方向長さが、前記貼付部の中間部近傍部分の横方向長さ以上に形成されている、請求項１または２に記載のＰＯＰラベル。
【請求項４】
前記中間部の横方向長さが、前記表示部の中間部近傍部分の横方向長さ以上に形成されている、請求項１乃至３のいずれか一項に記載のＰＯＰラベル。
【請求項５】
曲面部と前記曲面部にコーナー部を介して連設された上面部とを有する物品と、請求項１乃至４のいずれか一項に記載のＰＯＰラベルと、を有し、
前記ＰＯＰラベルの貼付部が前記物品の曲面部に貼り付けられ、前記ＰＯＰラベルの中間部が前記物品のコーナー部に対応し且つ前記ＰＯＰラベルの表示部が前記物品の上面部から離れて起立されている、ラベル付き物品。
【発明の詳細な説明】
【技術分野】
【０００１】
本発明は、一部分を物品から突出させて貼り付けるＰＯＰラベル及びそのラベル付き物品に関する。
【背景技術】
【０００２】
従来、消費者の注意を惹き且つ広告宣伝効果を高めるためのＰＯＰラベル（アイキャッチラベルとも呼ばれる）が知られている。かかるＰＯＰラベルは、広告宣伝表示が施された表示部を起立させ且つ物品から突出させた状態で物品に貼り付けたラベル付き物品の態様で流通される。
前記ラベル付き物品は、通常、その複数個を段ボール箱のようなケース状の梱包材に箱詰めして保管流通に供され、販売店などで梱包材から取り出されて個々に陳列される。ラベル付き物品を梱包材に箱詰めすると、表示部が梱包材の蓋部などによって押さえ付けられ略直角又は鋭角に折れ曲がる。この状態が続くと、いわゆる折り癖が付き、梱包材から取り出した後に、表示部が真っ直ぐに起立し難いという問題点がある。
特許文献１には、ラベル基材の少なくとも片面上にデザイン等表示が形成された表示部と、ラベル基材の片面上に接着領域が形成された基部と、表示部と基部との間において、ラベル基材を横方向両側から切り欠いたように形成された首部と、を備え、接着領域は、基部のうち首部と縦方向に隣り合う第１領域よりも横方向両端側に位置する第２領域に形成され、第１領域には、少なくとも前記首部から縦方向に連続する所定範囲に非接着領域が形成されているＰＯＰラベルが開示されている。
【先行技術文献】
【特許文献】
【０００３】
【特許文献１】特開２０１４−１９９３６５号公報
【発明の概要】
【０００４】
しかしながら、特許文献１のＰＯＰラベルは、表示部と基部の間の首部がラベル基材を横方向両側から切り欠いた幅狭に形成されているので、表示部の安定性が悪く、表示部を起立させた状態で長期間陳列しているうちに、表示部が傾いてくる場合がある。
【発明が解決しようとする課題】
【０００５】
本発明の目的は、表示部が起立し易く、また、表示部の起立状態を長期間維持できるＰＯＰラベル及びラベル付き物品を提供することである。
【課題を解決するための手段】
【０００６】
本発明のＰＯＰラベルは、一部分を物品から突出させて貼り付けられるラベル基材を有し、前記ラベル基材が、縦方向に順に、物品に貼付可能な貼着面を有する貼付部と、前記貼付部に連設された中間部と、前記貼付部を物品に貼り付けた際に物品から離れて起立し且つ前記中間部に連設された表示部と、を有し、前記中間部には、横方向に延びる部分又は横方向に対して傾斜する方向に延びる部分を有する切込みが形成され、前記切込みが、前記中間部を横方向中央点において縦方向に延びる仮想直線にて二分したとき、前記仮想直線と中間部の横方向一方側の縁との間の領域内に形成されている。
【０００７】
本発明の好ましいＰＯＰラベルは、前記切込みが、２つ以上形成され、１つの切込みが、前記仮想直線と中間部の横方向一方側の縁との間の領域内に形成され、且つ、もう１つの切込みが、前記仮想直線と中間部の横方向他方側の縁との間の領域内に形成されている。
本発明の好ましいＰＯＰラベルは、前記中間部の横方向長さが、前記貼付部の中間部近傍部分の横方向長さ以上に形成されている。
本発明の好ましいＰＯＰラベルは、前記中間部の横方向長さが、前記表示部の中間部近傍部分の横方向長さ以上に形成されている。
【０００８】
本発明の別の局面によれば、ラベル付き物品を提供する。
本発明のラベル付き物品は、曲面部と前記曲面部にコーナー部を介して連設された上面部とを有する物品と、前記いずれかのＰＯＰラベルと、を有し、前記ＰＯＰラベルの貼付部が前記物品の曲面部に貼り付けられ、前記ＰＯＰラベルの中間部が前記物品のコーナー部に対応し且つ前記ＰＯＰラベルの表示部が前記物品の上面部から離れて起立されている。
【発明の効果】
【０００９】
本発明のＰＯＰラベル及びラベル付き物品は、折れ曲がった表示部が起立し易く、さらに、表示部の起立状態が長期間維持される。
【図面の簡単な説明】
【００１０】
【図１】第１実施形態に係るＰＯＰラベルを表面側から見た平面図。
【図２】同ＰＯＰラベルを裏面側から見た平面図。なお、図２において、貼着面を判りやすくするため、貼着面に無数のドットを付加している（図１２乃至図１６、図１８乃至図２０も同様）。
【図３】図１のＩＩＩ−ＩＩＩ線で切断した断面図。
【図４】図３のＩＶ−ＩＶ’部の拡大断面図。
【図５】第１実施形態の変形例に係るＰＯＰラベルの断面図。
【図６】ラベル付き物品の正面図。
【図７】同左側面図。
【図８】同上面図。
【図９】ラベル付き物品を梱包材に収納した状態を示す断面図。ただし、ラベル付き物品は断面図で示していない。
【図１０】ＰＯＰラベルが中間部にて折れ曲がった状態のラベル付き物品の正面図。
【図１１】同ラベル付き物品の左側面図。
【図１２】第２実施形態の第１例に係るＰＯＰラベルを裏面側から見た平面図。
【図１３】第２実施形態の第２例に係るＰＯＰラベルを裏面側から見た平面図。
【図１４】第２実施形態の第３例に係るＰＯＰラベルを裏面側から見た平面図。
【図１５】第２実施形態の第４例に係るＰＯＰラベルを裏面側から見た平面図。
【図１６】第２実施形態の第５例に係るＰＯＰラベルを裏面側から見た平面図。
【図１７】第３実施形態の第１例に係るＰＯＰラベルを裏面側から見た平面図。
【図１８】図１７のＸＶＩＩＩ−ＸＶＩＩＩ線で切断した断面図。
【図１９】第３実施形態の第２例に係るＰＯＰラベルを裏面側から見た平面図。
【図２０】第４実施形態の第１例に係るＰＯＰラベルを裏面側から見た平面図。
【図２１】第４実施形態の第２例に係るＰＯＰラベルを裏面側から見た平面図。
【発明を実施するための形態】
【００１１】
以下、本発明の実施形態について図面を参照しながら説明する。
本明細書において、「上」は、物品を水平面に安定的に自立させた状態を基準にして、水平面から離れる側（上側）を指し、「下」は、同状態を基準にして、水平面に近づく側（下側）を指す。
ＰＯＰラベルの縦方向は、ラベル基材の任意の１つの方向を指し、ＰＯＰラベルの横方向は、前記縦方向と直交する方向である。
「〜」で表される数値範囲は、「〜」の前後の数値を下限値及び上限値として含む数値範囲を意味する。複数の下限値と複数の上限値が別個に記載されている場合、任意の下限値と任意の上限値を選択し、「〜」で結んだ範囲とすることができるものとする。
また、断面図におけるラベルなどの厚みは、実際のものとは異なっていることに留意されたい。
【００１２】
［第１実施形態］
図１乃至図３において、本発明のＰＯＰラベル１は、一部分を物品から突出させて貼り付けられるラベル基材２を有する。
このラベル基材２は、物品に貼り付けられるときの物品との位置関係に従って区分けすると、縦方向に順に、物品に貼付可能な貼着面３１を有する貼付部３と、前記貼付部３に連設された中間部４と、前記貼付部３を物品に貼り付けた際に物品から離れて起立し且つ前記中間部４に連設された表示部５と、を有する。換言すると、貼付部３と表示部５は、中間部４を介して連結されている。中間部４が折れ曲がることにより、表示部５は貼付部３に対して傾き得る。
前記中間部４の面内に、切込み６が形成されている。この切込み６は、ラベル基材２の横方向に延びる部分を有する又は横方向に対して傾斜する方向に延びる部分を有する。なお、切込み６は、横方向に延びる部分及びそれに対して傾斜する方向に延びる部分の双方を有していてもよい。
本発明においては、中間部４を横方向中央点において縦方向に延びる仮想直線Ｘにて二分したとき、前記切込み６が前記仮想直線Ｘと中間部４の横方向一方側の縁４ａとの間の領域内に形成されている。
【００１３】
＜ＰＯＰラベル＞
ＰＯＰラベル１を構成するラベル基材２は、柔軟性並びに適宜な強度及び剛性を有する枚葉状のものであれば特に限定されず、例えば、紙、合成紙、合成樹脂製シート、金属蒸着シート、発泡樹脂シート、不織布、及びこれらが２層以上積層された積層シートなどが挙げられる。なお、シートという用語には、一般にフィルムと呼ばれるものも含まれる。
合成紙としては、ポリエステル系合成紙、ポリプロピレン系合成紙などが挙げられる。合成紙の市販品としては、例えば、（株）ユポ・コーポレーションの商品名「ユポ」、東洋紡績（株）の商品名「クリスパー」などを用いることができる。
合成樹脂製シートなどの材質は特に限定されず、例えば、ポリエチレン、ポリプロピレン、環状オレフィン、ポリエチレンを含む共重合ポリマーなどのポリオレフィン系、ポリエチレンテレフタレート、ポリ乳酸などのポリエステル系、ポリアミド系、ポリスチレン系などが挙げられる。特に、剛性が高く且つ自立復帰性が優れていることから、２軸延伸された合成樹脂製シート又はこのシートを含む積層シートを用いることが好ましく、ポリエチレンテレフタレート製シート又はこれを含む積層シートがより好ましい。
また、ラベル基材２は、透明又は不透明のいずれでもよい。また、通常、ラベル基材２は、１枚のシートを所望形状に裁断したものが使用されるが、２枚以上のシートを面方向に繋合わせて枚葉状とし且つこれを所望形状に裁断したものを用いてもよい。
ラベル基材２の厚みは、特に限定されず、通常、３０μｍ〜１５０μｍ程度である。
【００１４】
ラベル基材２の表面又は裏面には、所望のデザインを表す意匠印刷層が設けられている。意匠印刷層は、ラベル基材２の略全体に設けられていてもよいし、ラベル基材２の一部分（例えば、少なくとも表示部５）に設けられていてもよい。また、ラベル基材２が２層以上の積層シートからなる場合、前記意匠印刷層が、積層シートを構成する層間に設けられていてもよい。
なお、ラベル基材２には、意匠印刷層以外に他の機能層が設けられていてもよい（図示せず）。機能層としては、保護層、滑り層などが挙げられ、これらは、通常、印刷法にて形成される。
【００１５】
ラベル基材２の裏面には、貼着剤が露出した面（本明細書で貼着面３１という）と、貼着剤が実質的に露出していない面（本明細書で非貼着面３２という）と、が形成されている。前記貼着面３１は、ラベル基材２の裏面の縦方向一方部において横方向全体に亘って形成されている。貼着面３１は、ラベル基材２の下縁にまで形成されている。
前記貼着面３１は、物品に剥離可能に貼付できる面であり、好ましくは、物品に貼付した後、人力で容易に剥離でき且つ剥離後再貼付できる面である。
ラベル基材２のうち、前記貼着面３１が形成された部分が貼付部３であり、貼付部３と反対側（ラベル基材２の縦方向他方側）の部分が表示部５である。また、概念上、貼付部３と表示部５の間の部分が中間部４である。
前記貼着剤が実質的に露出していない面（非貼着面３２）とは、（１）その面に貼着剤が存在しない（例えば、貼着剤が塗布されていない又は貼着剤が隠蔽剤で完全に隠蔽されている）、或いは、（２）その面の僅かな部分に貼着剤が存在していても、表示部５の裏面などが物品に貼付されるほどの接着力を有さない（例えば、貼着剤が僅かな部分に塗布されている又は貼着剤が隠蔽剤で不完全に隠蔽されている）、という意味である。
【００１６】
前記貼着面３１の形成方法は特に限定されない。
図示例では、ラベル基材２の縦方向一方部において横方向全体に亘って貼着剤を塗布することによって、貼着剤層Ａを形成している。この貼着剤層Ａの裏面（露出面）が貼着面３１となる。この場合、ラベル基材２の残余の部分には、貼着剤が存在せず、その残余の部分はラベル基材２の裏面からなる（非貼着面３２とされている）。
また、図５に示すように、ラベル基材２の裏面全体に粘着剤を塗布して貼着剤層Ａを設けた後、貼着面３１となる部分を除いて、その貼着剤層Ａの裏面に隠蔽剤を塗布して隠蔽層Ｂを形成することによって、貼着面３１と非貼着面３２が形成されていてもよい。この場合、前記隠蔽層Ｂの裏面が、非貼着面３２となる。
【００１７】
前記貼着剤は、ラベル基材２に強固に接着し且つ物品に接着可能なものであれば特に限定されない。貼着剤としては、例えば、粘着剤、接着剤などが挙げられ、好ましくは、粘着剤が用いられる。なお、粘着剤は、人力で容易に剥離でき且つ剥離後再貼付できる点で接着剤とは異なる。
前記粘着剤としては、感圧型粘着剤が好ましいが、感熱型粘着剤を用いることもできる。なお、感圧型粘着剤は、常温で接着力を有し且つその接着力が長期間持続している粘着剤であり、従来公知のタックラベルで広く使用されているものである。感熱型粘着剤は、加熱することにより接着力を発揮し且つその接着力が長期間持続する粘着剤である。
前記隠蔽剤としては、紫外線硬化型インキ、シリコーンを含むコート剤などが挙げられる。
前記貼着剤層Ａの厚みは、特に限定されず、例えば、１０μｍ〜３０μｍである。隠蔽層Ｂの厚みは、通常、３μｍ〜２０μｍである。隠蔽層Ｂを比較的厚く形成することにより、貼着剤の接着力を確実に隠蔽できる。
【００１８】
図４に、ラベル基材２の好ましい層構成の一例を示す。
図４において、ラベル基材２は、２層以上のシートが積層された積層シートからなる。例えば、ラベル基材２は、中心層２１と、表層２２と、裏層２３と、からなる３層構造の積層シートからなる。中心層２１としては、例えば、合成紙、紙、ポリエチレンテレフタレートなどの合成樹脂製シートなどを用いることができ、表層２２及び裏層２３としては、それぞれ独立して、ポリエチレンテレフタレートなどの合成樹脂製シートなどを用いることができる。また、図４では、ラベル基材２の表面側及び裏面側の双方から視認できるように意匠印刷層２４が設けられている。１つの意匠印刷層２４は、表層２２と中心層２１の間に設けられ、もう１つの意匠印刷層２４は、裏層２３と中心層２１の間に設けられている。また、表層２２と中心層２１、及び、裏層２３と中心層２１を接着させるために、適宜適切な接着層２５が介在されている。
【００１９】
ラベル基材２の平面視形状は、例えば、図１に示すように、平面視略長方形状（又は略正方形状）である。もっとも、ラベル基材２は、平面視略長方形状（又は略正方形状）に限られず、平面視略円形状、平面視略楕円形状、平面視略三角形状、平面視略四角形状や略六角形状などの略多角形状、その他の任意の形状に形成されていてもよい。本明細書において「略」は、本発明の属する技術分野において許容される範囲を意味する。略長方形状などの略多角の「略」は、例えば、角部が面取りされている形状、辺の一部が僅かに膨らむ又は窪んでいる形状、辺が若干湾曲している形状などが含まれる。なお、角部が面取りされているとは、角張った部分の角を取り去り、その部分を弧状又はなだらかな鈍角状に形成することをいう。略円及び略楕円の「略」は、例えば、周の一部が僅かに膨らむ又は窪んでいる形状、周の一部が若干直線又は斜線とされた形状などが含まれる。
【００２０】
図示例では、平面視略長方形状（又は略正方形状）の縦方向の下側から順に、貼付部３、中間部４及び表示部５が並んで配置されている。
中間部４は、その横方向長さ４Ｗが貼付部３の中間部近傍部分の横方向長さ以上（貼付部３の中間部近傍部分の横方向長さと同じ又はそれよりも大きい）に形成されている。また、中間部４は、その横方向長さが表示部５の中間部近傍部分の横方向長さ以上（表示部５の中間部近傍部分の横方向長さと同じ又はそれよりも大きい）に形成されている。なお、中間部４の横方向長さが縦方向において均等でない場合には、前記中間部４の横方向長さは、その最大長さを意味する。また、前記貼付部３の中間部近傍部分は、貼付部３のうち、中間部４との境界を含まず且つその境界付近をいい、表示部５の中間部近傍部分は、表示部５のうち、中間部４との境界を含まず且つその境界付近をいう。例えば、前記境界付近は、その境界から縦方向に３ｍｍ離れた箇所を含む。
【００２１】
中間部４の横方向長さ４Ｗは、特に限定されないが、具体的数値では、３０ｍｍ以上であり、好ましくは４０ｍｍ以上である。中間部４の横方向長さの上限は特にないが、現実的な数値では、１５０ｍｍ以下である。
表示部５、中間部４及び貼付部３を含むラベル基材２の縦方向長さ（最大長さ）は、特に限定されないが、具体的数値では、３０ｍｍ〜１５０ｍｍである。
ラベル基材２が平面視略長方形状（又は略正方形状）に形成されている図示例にあっては、中間部４の横方向長さは、貼付部３の中間部近傍部分の横方向長さと同じである。また、中間部４の横方向長さは、表示部５の中間部近傍部分の横方向長さと同じである。
【００２２】
表示部５の面積と貼付部３の面積は、同じでもよく、又は、何れか一方が大きくてもよい。アイキャッチ性に優れたＰＯＰラベル１を構成できることから、表示部５の面積は、貼付部３の面積よりも大きいことが好ましい。
【００２３】
具体的な寸法では、平面視略長方形状（又は略正方形状）のラベル基材２の大きさは、その縦及び横がそれぞれ独立して２０ｍｍ〜１５０ｍｍ程度である。特に、容器などの物品が略円柱状の場合、ラベル基材２は、前記略円柱状の周長の１／５〜１／２を覆うように貼着可能な横方向長さを有し、好ましくは１／４〜１／３を覆うように貼着可能な横方向長さを有する。なお、ラベル基材２の横方向長さが６０ｍｍの場合、後述する切込みの長さは１０ｍｍ程度が好ましい。
【００２４】
切込み６は、中間部４の面内に形成されている。切込み６は、両端部６ａ，６ｂを有する（切込み６は、平面視で有端状である）。切込み６は、平面視において、横方向に延びる部分又は横方向に対して傾斜する方向に延びる部分の少なくとも何れか一方の部分を有する。前記何れか一方の部分を有していることを条件として、縦方向に延びる部分を有していてもよい。以下、横方向に延びる部分を「横延設部分」、横方向に対して傾斜する方向に延びる部分を「傾斜延設部分」、縦方向に延びる部分を「縦延設部分」という。
例えば、切込み６は、（ａ）横延設部分のみからなる、（ｂ）傾斜延設部分のみからなる、（ｃ）横延設部分と傾斜延設部分のみからなる、（ｄ）横延設部分と縦延設部分のみからなる、（ｅ）傾斜延設部分と縦延設部分のみからなる、（ｆ）横延設部分と傾斜延設部分と縦延設部分のみからなる、などの場合が挙げられる。ＰＯＰラベル１が中間部４にて折れ曲がった際に皺が生じ難くなることから、切込み６は、傾斜延設部分を有することが好ましく、上記の例では（ｂ）、（ｃ）、（ｅ）又は（ｆ）の何れかである。
【００２５】
切込み６は、平面視で略直線状に形成されていることが好ましいが、平面視で略弧状などの非直線状に形成されていてもよい。
なお、平面視非直線状の切込みの延びる方向は一定でないため、非直線状の切込みについては、その切込みの両端部を結んだ直線を仮想し、その仮想の直線を非直線状の切込みの延びる方向とみなすものとする。
【００２６】
前記切込み６は、ラベル基材２の厚み方向に貫通するものであり、ラベル基材２は、切込み６において分割される。
切込み６は、前記中間部４を横方向中央点において縦方向に延びる仮想直線Ｘにて二分したとき、前記仮想直線Ｘと中間部４の横方向一方側の縁４ａとの間の領域内に形成されている。切込み６は、前記領域内に１つ形成されていてもよく、或いは、複数形成されていてもよい。複数の切込み６は、それぞれ独立して形成されていてもよく、或いは、一部分において互いに繋がって形成されていてもよい。切込み６は、前記仮想直線Ｘに重ならず且つ中間部４の横方向一方側の縁４ａにも重ならないように配置されている。
図１に、仮想直線Ｘを一点鎖線で示している。仮想直線Ｘは、実際に表示されている線ではなく、中間部４を横方向において均等に二分する概念上の直線である。
【００２７】
好ましくは、切込み６は、前記仮想直線Ｘと中間部４の横方向一方側の縁４ａとの間の領域、及び、前記仮想直線Ｘと中間部４の横方向他方側の縁４ｂとの間の領域、のそれぞれに独立して形成される。
以下、中間部４の横方向一方側の縁４ａを「第１縁４ａ」、仮想直線Ｘと中間部４の横方向一方側の縁４ａとの間の領域を「第１領域」、中間部４の横方向他方側の縁４ｂを「第２縁４ｂ」、仮想直線Ｘと中間部４の横方向他方側の縁４ｂとの間の領域を「第２領域」という。また、第１領域に形成された切込み６を「第１切込み６１」、第２領域に形成された切込み６を「第２切込み６２」という。
【００２８】
具体例では、第１切込み６１は、例えば、第１領域内に１つ形成されている。第１切込み６１は、両端部６１ａ，６１ｂを有し、全体として略直線状に形成されている。図示例の第１切込み６１は、傾斜延設部分のみからなる。第１切込み６１の横方向に対する傾斜角度αは、鋭角であれば特に限定されないが、例えば、０度を越え４５度以下であり、好ましくは、１０度〜３０度である。
第１切込み６１の一方の端部６１ａは、第１縁４ａ側に配置され、第１切込み６１の他方の端部６１ｂは、仮想直線Ｘ側に配置されている。横方向に対して傾斜した第１切込み６１にあっては、一方の端部と他方の端部は、縦方向において位置ずれしている。例えば、一方の端部６１ａは、他方の端部６１ｂよりも縦方向上側に配置されている。この場合、第１切込み６１は、図示のように、他方の端部６１ｂから一方の端部６１ａに向かって上向き傾斜で延びている。なお、特に図示しないが、反対に、一方の端部６１ａが他方の端部６１ｂよりも縦方向下側に配置されていてもよく、この場合、第１切込み６１は、他方の端部６１ｂから一方の端部６１ａに向かって下向き傾斜で延びるようになる。
図示例のように、第１切込み６１が、他方の端部６１ｂから一方の端部６１ａに向かって上向き傾斜で延設されていることにより、ＰＯＰラベル１が中間部４にて折れ曲がった際に、より皺が生じ難くなる。
【００２９】
第１切込み６１の一方の端部６１ａと第１縁４ａとの間は、ラベル基材２が切れていない。この間の部分４１の横方向長さは、特に限定されないが、余りに小さいと、その部分４１が不用意に破断して第１切込み６１が第１縁４ａに繋がるおそれがあり、余りに大きいと、中間部４にて折れ曲がった際にその部分４１において皺が生じ易くなる。かかる観点から、前記部分４１の横方向長さは、１ｍｍ〜１０ｍｍが好ましく、さらに、２ｍｍ〜８ｍｍがより好ましい。
また、第１切込み６１の長さは、特に限定されないが、例えば、第１領域の横方向長さ×１／４〜第１領域の横方向長さ×４／５である。第１切込み６１は直線状又は非直線状であるので、前記第１切込み６１の長さは、第１切込み６１の一方の端部６１ａから他方の端部６１ｂまでの直線長さとする。なお、第１領域の横方向長さは、中間部４の横方向長さ×１／２に等しい。
【００３０】
第２切込み６２は、例えば、第２領域内に１つ形成されている。第２切込み６２は、両端部６２ａ，６２ｂを有し、全体として略直線状に形成されている。図示例の第２切込み６２は、傾斜延設部分のみからなる。第２切込み６２の横方向に対する傾斜角度βは、鋭角であれば特に限定されないが、例えば、０度を越え４５度以下であり、好ましくは、１０度〜３０度である。
第２切込み６２の一方の端部６２ａは、第２縁４ｂ側に配置され、第２切込み６２の他方の端部６２ｂは、仮想直線Ｘ側に配置されている。横方向に対して傾斜した第２切込み６２にあっては、一方の端部６２ａと他方の端部６２ｂは、縦方向において位置ずれしている。例えば、一方の端部６２ａは、他方の端部６２ｂよりも縦方向上側に配置されている。この場合、第２切込み６２は、図示のように、他方の端部６２ｂから一方の端部６２ａに向かって上向き傾斜で延びている。なお、特に図示しないが、反対に、一方の端部６２ａが、他方の端部６２ｂよりも縦方向下側に配置されていてもよく、この場合、第２切込み６２は、他方の端部６２ｂから一方の端部６２ａに向かって下向き傾斜で延びるようになる。
図示例のように、第２切込み６２が、他方の端部６２ｂから一方の端部６２ａに向かって上向き傾斜で延設されていることにより、ＰＯＰラベル１が中間部４にて折れ曲がった際に、より皺が生じ難くなる。
【００３１】
第２切込み６２の一方の端部と第２縁４ｂとの間は、ラベル基材２が切れていない。この間の部分４２の横方向長さは、特に限定されないが、余りに小さいと、その部分４２が不用意に破断して第２切込み６２が第２縁４ｂに繋がるおそれがあり、余りに大きいと、ＰＯＰラベル１が中間部４にて折れ曲がった際にその部分４２において皺が生じ易くなる。かかる観点から、前記部分４２の横方向長さは、１ｍｍ〜１０ｍｍが好ましく、さらに、２ｍｍ〜８ｍｍがより好ましい。
また、第２切込み６２の長さは、特に限定されないが、例えば、第２領域の横方向長さ×１／４〜第２領域の横方向長さ×４／５である。第２切込み６２は直線状又は非直線状であるので、前記第２切込み６２の長さは、第２切込み６２の一方の端部６２ａから他方の端部６２ｂまでの直線長さとする。なお、第２領域の横方向長さは、中間部４の横方向長さ×１／２に等しい。
【００３２】
第１切込み６１の他方の端部６１ｂと第２切込み６２の他方の端部６２ｂとの間隔（両端部６１ｂ，６２ｂの間の横方向長さ）は、特に限定されないが、余りに小さいと、表示部５が起立し難くなるおそれがあり、余りに大きいと、ＰＯＰラベル１が中間部４にて折れ曲がった際にその間において皺が生じ易くなる。かかる観点から、第１切込み６１の他方の端部６１ｂと第２切込み６２の他方の端部６２ｂとの間隔は、中間部４の横方向長さ×１／５〜中間部４の横方向長さ×１／２が好ましく、さらに、中間部４の横方向長さ×１／４〜中間部４の横方向長さ×１／３がより好ましい。
【００３３】
第１切込み６１と第２切込み６２は、平面視で同じ形状でもよく、或いは、異なる形状でもよい。好ましくは、第１切込み６１と第２切込み６２は、仮想直線Ｘを軸として線対称である。なお、前記線対称は、仮想直線Ｘで中間部４を折り畳むと、第１切込み６１と第２切込み６２が実質的に重なることをいう。
なお、中間部４には、前記切込み６を除いて、ミシン目線やハーフカット線などの折り曲げ手段が設けられておらず、好ましくは、表示部５、中間部４及び貼付部３には、前記切込み６を除いて、ミシン目線やハーフカット線などの折り曲げ手段が設けられていない。
【００３４】
＜ラベル付き物品＞
本発明のＰＯＰラベル１を物品の任意の箇所に貼付することにより、ラベル付き物品が得られる。
ＰＯＰラベル１は、通常、その複数枚が帯状のセパレータに仮貼付された、ラベル供給体の態様（不図示）にて提供される。
提供されたＰＯＰラベル１は、人力で物品に貼付することもできるが、通常、ラベラー（ラベル貼付装置）を用いて物品に貼付される。
物品は、特に限定されず、取引の目的物である物品を収納している容器でもよく、物品そのものでもよい。代表的には、ＰＯＰラベル１は、容器に装着される。容器としては、特に限定されず、飲料等のＰＥＴボトル、カップ容器、紙箱などが挙げられる。その容器に収納されている物品は、特に限定されず、食品、日用品、飲料、菓子、化粧品、薬品、洗剤、シャンプー、おもちゃ、機械部品などの任意である。また、容器の材質も特に限定されず、プラスチック、紙、金属、ガラス、陶器などが挙げられる。なお、容器は、その外側を包材にて包装されているものでもよい。包材としては、シュリンクフィルム、包装紙などが挙げられる。
【００３５】
物品の形状は、特に限定されず、全体として、略直方体状（又は略立方体状）、略四角柱状、略円柱状、略楕円柱状などの略柱状、略四角錐台状、略円錐台状、略楕円錐台状などの略錐台状、ボトル状、その他の任意形状などが挙げられる。
本発明のＰＯＰラベル１は、中間部４が円弧状に湾曲した状態で折れ曲がっても、表示部５が起立し易く、さらに、中間部４に皺が生じ難い。このため、前記ＰＯＰラベル１は、曲面部を有する物品の当該曲面部に貼り付けて使用することが特に効果的である。
曲面部を有する物品の形状としては、例えば、略円柱状、略楕円柱状、略円錐台状、略楕円錐台状などが挙げられ、このような物品は、曲面部と、前記曲面部にコーナー部を介して連設された上面部と、を有する。
前記曲面部の曲率半径は、特に限定されないが、例えば、１５ｍｍ〜１５０ｍｍであり、好ましくは１８ｍｍ〜１００ｍｍであり、より好ましくは２０ｍｍ〜６０ｍｍである。このような曲率半径を有する曲面部に貼付部３を貼り付けることにより、ＰＯＰラベル１に皺が生じ難くなる。
【００３６】
図６乃至図８に、ラベル付き物品１０の一例を示す。
図示例の物品９は、全体として略円柱状であり、曲面部９１と、上面部９２と、接地面となる下面部９４と、を有し、曲面部９１と上面部９２及び曲面部９１と下面部９４は、コーナー部９３，９５を介して連設されている。
コーナー部９３，９５は、図７に示す側面視で、直角部を有さない形状（角張らないように形成されている）、例えば、略弧状に形成されている。もっとも、コーナー部９３，９５は、側面視で略直角状に形成されていてもよい。また、曲面部９１と上面部９２は、図７に示す側面視で、略直角状に配置されている。もっとも、曲面部９１と上面部９２は、側面視で、鈍角又は鋭角状に配置されていてもよい。
【００３７】
ＰＯＰラベル１の貼付部３が曲面部９１に貼り付けられ、中間部４がコーナー部９３に対応していると共に、表示部５が上面部９２の上方に突出して起立されている。かかるＰＯＰラベル１は、表示部５及び貼付部３が物品９の上下に並ぶように貼付されており、貼付部３、中間部４及び表示部５は略直線性を維持しつつ、表示部５が上面部９２から離れて起立されている。ただし、貼付部３が曲面部９１に貼付されているので、貼付部３は曲面部９１の曲率に従って湾曲されており、中間部４及び表示部５も若干湾曲されている。
【００３８】
ＰＯＰラベル１の貼付部３は、中間部４がコーナー部９３に対応するように位置合わせして、曲面部９１に貼り付けられる。コーナー部９３寄りに貼付部３を貼付すると、表示部５が上方に大きく突出し、下面部９４寄りに貼付部３を貼付すると、表示部５の突出程度が小さくなる。
ＰＯＰラベル１が中間部４にて折れ曲がった際に皺が生じ難くなることから、切込み６（第１切込み６１及び第２切込み６２）の一方の端部６ａが上面部９２よりも上方に位置するように貼付部３を貼り付けることが好ましい。この場合、図６に示す正面視において、切込み６（第１切込み６１及び第２切込み６２）が上面部９２に交差する。
【００３９】
上記ラベル付き物品１０は、表示部５が物品９の上面部９２から突出しているので、表示部５に表されたデザイン表示が目立ち、広告宣伝効果に優れている。
ラベル付き物品１０は、例えば、その複数個を梱包材８に箱詰めした状態で保管流通に供される（図９参照）。梱包材８は、厚紙、段ボール紙、樹脂シートなどの板状体を箱状に形成したものからなる。具体的には、梱包材８は、図９に示すように、箱本体８１と、箱本体８１の開口を塞ぐ開閉蓋８２と、を有し、必要に応じて、さらに仕切り８３を具備する。
梱包材８に梱包されたラベル付き物品１０においては、開閉蓋８２や積み重ねられた物品９によって表示部５に荷重が加わり、柔軟性を有する中間部４にてＰＯＰラベル１が折れ曲がり、表示部５が物品９の上面部９２に接するようになる。
【００４０】
図１０及び図１１は、ＰＯＰラベル１が中間部４にて折れ曲がった状態のラベル付き物品１０を示す。換言すると、図１０及び図１１は、図９の状態のラベル付き物品１０を示す。
本発明のＰＯＰラベル１は、少なくとも第１領域に第１切込み６１が形成されているので、中間部４が折り曲げられた際、折り癖が付き難く、従って、梱包材８からラベル付き物品１０を取り出して表示部５に加わる荷重が解除されると、表示部５が図６乃至図８に示すような元のように起立し易くなる。特に、第１領域及び第２領域の双方に切込み６（第１切込み６１及び第２切込み６２）が形成されていることにより、表示部５が良好に立ち上がるようになる。
また、本発明のＰＯＰラベル１は、折れ曲がった中間部４に皺が生じ難いので、表示部５が立ち上がった後も中間部４の付近に折線が生じ難く、外観上も好ましい。
さらに、第１切込み６１の一方の端部６１ａと第１縁４ａとの間の部分４１においてラベル基材２が切断されていないので、この部分４１が表示部５の起立状態を補助する。このため、表示部５の起立状態を長期間安定的に維持できるラベル付き物品１０を提供できる。
特に、第１切込み６１の一方の端部６１ａと第１縁４ａとの間の部分４１及び第２切込み６２の一方の端部６２ａと第２縁４ｂとの間の部分４２においてラベル基材２がそれぞれ切断されていないので、表示部５の起立状態を長期間安定的に維持できる。
【００４１】
本発明のＰＯＰラベル及びラベル付き物品は、上記第１実施形態に限られず、本発明の意図する範囲で様々に変更できる。以下、本発明の他の実施形態を説明するが、主として上記で示した実施形態と異なる構成について説明し、同様の構成等については、その説明を省略し、用語及び符号を援用することがある。
【００４２】
［第２実施形態］
第２実施形態は、切込み６の様々な態様を例示する。
上記第１実施形態では、平面視略直線状の切込み６（第１切込み６１及び第２切込み６２）を図示したが、例えば、図１２に示すように、略弧状に形成されていてもよい。略弧状の切込み６は、図示のように上側に膨らんだ略弧状でもよく、特に図示しないが、下側に膨らんだ略弧状でもよい。
上記第１実施形態では、横方向に対して傾斜する方向に延びる切込み６（第１切込み６１及び第２切込み６２）を図示したが、例えば、図１３に示すように、横方向に平行に延びる部分を有する切込み６でもよい。
【００４３】
さらに、上記第１実施形態では、第１切込み６１が第１領域に１つ形成される場合を図示したが、例えば、図１４に示すように、第１切込み６１が第１領域に２つ形成されていてもよく、特に図示しないが３つ以上形成されていてもよい。第２領域についても２つ又は３つ以上の第２切込み６２が形成されていてもよい。なお、図１４においては、第１領域に平面視略弧状の第１切込み６１’と平面視略直線状の第１切込み６１”を形成し、第２領域に平面視略弧状の第２切込み６２’と平面視略直線状の第２切込み６２”を形成した場合を図示している。
また、複数の切込み６（第１切込み６１）が第１領域に形成される場合、図１５に示すように、複数の切込み６が繋がっていてもよい。図示例では、１つの第１切込み６１’の一方の端部６１ａ’ともう１つの第１切込み６１”の一方の端部６１ａ”が繋がり且つ１つの第１切込み６１’の他方の端部６１ｂ’ともう１つの第１切込み６１”の他方の端部６１ｂ”が繋がっている。この場合、２つの第１切込み６１’，６１”で囲われた部分は除去されるので、第１切込み６１’，６１”を輪郭線とする開口が第１領域に形成される。
第２領域についても、同様に２つの第２切込み６２’，６２”について一方の端部６２ａ’，６２ａ”同士が繋がり且つ他方の端部６２ｂ’，６２ｂ”同士が繋がっていてもよい。
【００４４】
さらに、上記第１実施形態では、第１切込み６１及び第２切込み６２は、比較的長い１つの連続した切断線からなるが、例えば、図１６に示すように、第１切込み６１が、比較的長い線状部分６１１と、比較的短い線状部分６１２と、から構成されていてもよい。この場合、短い線状部分６１２は、図１６（ａ）に示すように、長い線状部分６１１の一方の端部及び他方の端部の双方側に設けられていてもよく、或いは、図１６（ｂ）に示すように、長い線状部分６１１の一方の端部（又は他方の端部）のみに設けられていてもよい。また、短い線状部分６１２は、１つに限られず、例えば、同図（ｂ）に示すように、２つでもよく、或いは、特に図示しないが３つ以上でもよい。
同様に、第２切込み６２が、比較的長い線状部分６２１と、比較的短い線状部分６２２と、から構成されていてもよい。この場合、短い線状部分６２２は、第１切込み６２と同様に、長い線状部分６２１の一方の端部及び他方の端部の双方側に設けられていてもよく、或いは、長い線状部分６２１の一方の端部（又は他方の端部）のみに設けられていてもよく、また、２つ設けられていてもよく、或いは、３つ以上設けられていてもよい。
【００４５】
［第３実施形態］
上記各実施形態では、貼付部３はラベル基材２の下縁にまで形成されているが、例えば、図１７及び図１８に示すように、貼付部３（貼着面３１）がラベル基材２の下縁よりも上方寄りの位置に形成されていてもよい。この場合、貼付部３よりも下方の部分は、非貼着面３２であり、物品９に貼り付かない。
また、上記各実施形態では、第１切込み６１の他方の端部６１ｂが貼付部３に重ならないように配置されているが、図１９に示すように、第１切込み６１の他方の端部６１ｂが貼付部３の範囲内に配置されていてもよい。この場合、第１切込み６１の僅かな部分が貼付部３に重なるが、ＰＯＰラベル１の使用上、支障を来すことはない。第２切込み６２についても同様に、第２切込み６２の他方の端部６２ｂが貼付部３の範囲内に配置されていてもよい。
【００４６】
［第４実施形態］
上記各実施形態では、平面視略長方形状（又は略正方形状）のＰＯＰラベル１を図示したが、例えば、図２０に示すように、平面視略台形状のＰＯＰラベル１でもよい。かかるＰＯＰラベル１は、中間部４の横方向長さが表示部５の中間部近傍部分の横方向長さよりも大きく形成されている態様の１つである。なお、このＰＯＰラベル１は、中間部４の横方向長さが貼付部３の中間部近傍部分の横方向長さよりも小さい。
また、図２１に示すように、平面視略円形状のＰＯＰラベル１でもよい。かかるＰＯＰラベル１は、中間部４の横方向長さが貼付部３の中間部近傍部分の横方向長さよりも大きく形成されている態様の１つである。なお、このＰＯＰラベル１は、中間部４の横方向長さが表示部５の中間部近傍部分の横方向長さよりも小さい。
【００４７】
上記様々な実施形態から選ばれる２以上の実施形態を適宜組み合わせてもよく、或いは、上記様々な実施形態から選ばれる１つ又は２つ以上の構成を、それ以外の実施形態に置換などしてもよい。
【符号の説明】
【００４８】
１  ＰＯＰラベル
２  ラベル基材
３  貼付部
３１  貼着面
４  中間部
４ａ  中間部の一方側の縁
４ｂ  中間部の他方側の縁
５  表示部
６，６１，６２，６１’，６１”，６２’，６２”  切込み
９  物品
９１  物品の曲面部
９２  物品の上面部
９３  物品のコーナー部
１０  ラベル付き物品
Ｘ  仮想直線
【図１】
2019039953.tif 000003
【図２】
2019039953.tif 000004
【図３】
2019039953.tif 000005
【図４】
2019039953.tif 000006
【図５】
2019039953.tif 000007
【図６】
2019039953.tif 000008
【図７】
2019039953.tif 000009
【図８】
2019039953.tif 000010
【図９】
2019039953.tif 000011
【図１０】
2019039953.tif 000012
【図１１】
2019039953.tif 000013
【図１２】
2019039953.tif 000014
【図１３】
2019039953.tif 000015
【図１４】
2019039953.tif 000016
【図１５】
2019039953.tif 000017
【図１６】
2019039953.tif 000018
【図１７】
2019039953.tif 000019
【図１８】
2019039953.tif 000020
【図１９】
2019039953.tif 000021
【図２０】
2019039953.tif 000022
【図２１】
2019039953.tif 000023